(57)【特許請求の範囲】
【請求項１】
開いた電源回路に接続した一対の回路端子を有するコネクタハウジングと、前記コネクタハウジングと嵌合することにより前記電源回路を閉じる第２コネクタハウジングと、を有する電源回路遮断装置であって、
前記第２コネクタハウジングが、前記一対の回路端子と接続可能な一対の端子部を有するヒューズと、前記ヒューズを収容する収容空間と該収容空間内に設けられた前記ヒューズに係止する係止部とを有したハウジングと、前記ハウジングの前記収容空間の入口を覆うカバーと、を有し、
前記カバーが、前記ハウジングに取り付けられた状態で、前記係止部が前記ヒューズへの係止を解除する方向に変位することを規制する規制部を有し、
前記ヒューズが、可溶体を収容した筒状のケースと、一端部が前記ケース内に収容されかつ前記可溶体と接続し他端部が前記ケース外に位置付けられた板状の前記一対の端子部と、を有し、
前記端子部に、前記一端部側の表面と前記他端部側の表面とが直交するように折り曲げられた折り曲げ部が設けられており、前記折り曲げ部に、前記係止部が嵌まる切り欠きが設けられている
ことを特徴とする電源回路遮断装置。
【請求項２】
前記係止部が、前記ヒューズの前記収容空間への進入方向に沿って延びかつ前記進入方向に沿った一端が固定端とされ他端が自由端とされた板状の板状部と、前記他端に設けられ前記ヒューズに向かって突出し前記ヒューズに係止する突起部と、を有し、
前記規制部が、前記進入方向に沿って延びた板状に形成されており、
前記カバーが前記ハウジングに取り付けられることにより、前記規制部が前記ヒューズとの間に前記板状部を位置付けて該板状部が前記ヒューズから離れる方向に撓むことを規制することを特徴とする請求項１に記載の電源回路遮断装置。
【請求項３】
前記ハウジングの外表面と前記カバーの外縁部とに、互いに係止する第２係止部が設けられていることを特徴とする請求項１または請求項２に記載の電源回路遮断装置。
【発明の詳細な説明】
【技術分野】
【０００１】
本発明は、電源回路を開き電流を遮断する電源回路遮断装置（サービスプラグ）に関するものである。
【背景技術】
【０００２】
例えば電気自動車では、バッテリである電源の容量が通常のガソリンエンジン車等に較べて大容量であるため、電気系統等をメンテナンスするような場合には電源回路遮断装置（サービスプラグ）によって電源回路を開いて作業安全性を確保する。この種の従来の電源回路遮断装置として、図７及び図８に示す電源回路遮断装置１０１がある（例えば、特許文献１参照）。
【０００３】
上記電源回路遮断装置１０１は、図７に示すように、開いた電源回路の端部に接続した一対の雌型端子１２０を有したコネクタハウジング１０２と、これら一対の雌型端子１２０同士を導通接続させる第２コネクタハウジング１０３とを有している。第２コネクタハウジング１０３は、一対の雌型端子１２０と嵌合可能な一対の雄型端子１３０と、これら一対の雄型端子１３０間に配されるヒューズ１４０と、これら一対の雄型端子１３０及びヒューズ１４０を収容するハウジング１４４と、を有している。
【０００４】
上記ヒューズ１４０は、合成樹脂製のケース１４１内に収容された可溶体と、一端部が前記可溶体と接続し他端部がケース１４１外に突出した一対の金属タブ１４２と、を有している。このヒューズ１４０は、図８に示すように、金属タブ１４２の他端部に設けられた貫通穴に前記一対の雄型端子１３０がそれぞれ挿通され、そして、この雄型端子１３０にナット１４３が螺合することにより一対の雄型端子１３０と一体化される。
【０００５】
このような電源回路遮断装置１０１は、第２コネクタハウジング１０３とコネクタハウジング１０２とが互いに嵌合することにより雌型端子１２０と雄型端子１３０とが嵌合して前記電源回路を閉じる。そして、これらの嵌合を解除することにより前記電源回路を開く。また、閉じた状態の前記電源回路に過電流が流れた際には、ヒューズ１４０の可溶体が溶断することにより前記電源回路を開き電流を遮断する。
【特許文献１】特開平１０−８３７５３号公報
【発明の開示】
【発明が解決しようとする課題】
【０００６】
しかしながら、上記電源回路遮断装置１０１は、一対の雄型端子１３０とヒューズ１４０のタブ状端子１４２とを固定するための構造、及び、ヒューズ１４０と一体化された一対の雄型端子１３０をハウジング１４４に固定するための構造が必要であり、部品点数及び組み立て工数が多いという問題があった。
【０００７】
そこで、本発明は、ヒューズを容易にハウジングに取り付けることができるとともに、部品点数が少なく簡易な構成の電源回路遮断装置を提供することを目的としている。
【課題を解決するための手段】
【０００８】
上記課題を解決するために、請求項１に記載された発明は、開いた電源回路に接続した一対の回路端子を有するコネクタハウジングと、前記コネクタハウジングと嵌合することにより前記電源回路を閉じる第２コネクタハウジングと、を有する電源回路遮断装置であって、前記第２コネクタハウジングが、前記一対の回路端子と接続可能な一対の端子部を有するヒューズと、前記ヒューズを収容する収容空間と該収容空間内に設けられた前記ヒューズに係止する係止部とを有したハウジングと、前記ハウジングの前記収容空間の入口を覆うカバーと、を有し、前記カバーが、前記ハウジングに取り付けられた状態で、前記係止部が前記ヒューズへの係止を解除する方向に変位することを規制する規制部を有し、前記ヒューズが、可溶体を収容した筒状のケースと、一端部が前記ケース内に収容されかつ前記可溶体と接続し他端部が前記ケース外に位置付けられた板状の前記一対の端子部と、を有し、前記端子部に、前記一端部側の表面と前記他端部側の表面とが直交するように折り曲げられた折り曲げ部が設けられており、前記折り曲げ部に、前記係止部が嵌まる切り欠きが設けられていることを特徴とする電源回路遮断装置である。
【０００９】
請求項２に記載された発明は、請求項１に記載された発明において、前記係止部が、前記ヒューズの前記収容空間への進入方向に沿って延びかつ前記進入方向に沿った一端が固定端とされ他端が自由端とされた板状の板状部と、前記他端に設けられ前記ヒューズに向かって突出し前記ヒューズに係止する突起部と、を有し、前記規制部が、前記進入方向に沿って延びた板状に形成されており、前記カバーが前記ハウジングに取り付けられることにより、前記規制部が前記ヒューズとの間に前記板状部を位置付けて該板状部が前記ヒューズから離れる方向に撓むことを規制することを特徴とするものである。
【００１１】
請求項３に記載された発明は、請求項１または請求項２に記載された発明において、前記ハウジングの外表面と前記カバーの外縁部とに、互いに係止する第２係止部が設けられていることを特徴とするものである。
【発明の効果】
【００１２】
請求項１に記載された発明によれば、ハウジングがヒューズに係止する係止部を有していることから、従来のねじ止め工程等が省略でき、ヒューズをハウジングに圧入することにより容易にハウジングに取り付けることができる。よって、部品点数が少なく簡易な構成の電源回路遮断装置を提供することができる。また、係止部がヒューズに係止したことを以ってヒューズがハウジングに取り付けられたことを目視確認することができる。また、カバーが、ハウジングに取り付けられた状態で、係止部がヒューズへの係止を解除する方向に変位することを規制する規制部を有していることから、ヒューズがハウジングから抜け出ることを防止でき、部品点数が少なく簡易な構成によりヒューズをハウジングに確実に取り付けることができる。また、係止部が端子部の折り曲げ部に設けられたきり欠きに嵌まることから、この係止部が、端子部の他端部側の断面を該他端部側の平面方向に沿って押さえるので、端子部を変形させることなくハウジングに保持することができる。
【００１３】
請求項２に記載された発明によれば、請求項１に記載された発明の効果に加えて、さらに、カバーがハウジングに正常に取り付けられたことを以って、突起部がヒューズに完全に係止したことを確認することができる。
【００１５】
請求項３に記載された発明によれば、ハウジングの外表面とカバーの外縁部とに、互いに係止する第２係止部が設けられていることから、このハウジングの内部構造を簡略化することができ、そのために、このハウジングを製造する金型の構造を簡略化することができる。
【発明を実施するための最良の形態】
【００１６】
以下、本発明の一実施の形態にかかる電源回路遮断装置（サービスプラグとも呼ばれる。）を図１ないし図６を参照しながら説明する。本実施形態の電源回路遮断装置１は、電気自動車に搭載されたバッテリから負荷へ電源供給を行うための電源回路に組み込まれて、この電源回路を必要に応じて開閉する装置である。
【００１７】
上記電源回路遮断装置１は、図１及び図２に示すように、コネクタハウジングとしての回路収容体５と、合成樹脂製のレバー４と、このレバー４の操作により回路収容体５と嵌合または離脱される第２コネクタハウジングとしてのプラグ本体３と、を有している。
【００１８】
上記回路収容体５は、図５に示すように、合成樹脂製の筒状のハウジング５０と、このハウジング５０内に収容された一対の回路端子５２と、を有している。このハウジング５０は、前記自動車のフランジ８等に固定されている。また、ハウジング５０の外表面にはレバー４が回動自在に取り付けられている。
【００１９】
上記一対の回路端子５２は、導電性の板金が折り曲げられるなどして形成されており、電線をかしめることが可能な電線接続部５３と、プラグ本体３の端子部２２と嵌合可能な電気接触部５４と、を有している。この電気接触部５４は、角筒状に形成され内側に端子部２２を収容可能な筒状部と、筒状部内に設けられ端子部を筒状部の一つの壁に向かって付勢する付勢部と、を有している。また、一方の回路端子５２の電線接続部５３は、前記バッテリと接続した電線６ａの端末と接続しており、他方の回路端子５２の電線接続部５３は、前記負荷と接続した電線６ｂの端末と接続している。これら一対の回路端子５２は、互いに間隔をあけて配されており、これら一対の回路端子５２間が導通状態とされることにより前記電源回路が閉じられ、これら一対の回路端子５２間が非導通状態とされることにより前記電源回路が開かれる。
【００２０】
上記プラグ本体３は、合成樹脂製のハウジング３０と、ハウジング３０内の収容空間７に圧入装着されるヒューズ２と、収容空間７の入口を覆う合成樹脂製のカバー１０と、を有している。
【００２１】
上記ハウジング３０は、その外表面にレバー４が回動自在に取り付けられており、レバー４の回動操作により、回路収容体５のハウジング５０内に収容された嵌合位置と、ハウジング５０外に位置付けられた離脱位置と、に亘ってハウジング５０に対して接離する（近づいたり離れたりすることを言う。）。
【００２２】
上記収容空間７は、図３及び図４などに示すように、ハウジング５０に対して接離する接離方向の両端部がハウジング３０の外部と連通した一対の第１空間７１と、これら一対の第１空間７１のハウジング５０から離れた側の端部間に設けられた第２空間７２と、で構成されている。また、第２空間７２は、ハウジング５０から離れた側の端部のみがハウジング３０の外部と連通している。
【００２３】
そして、第１空間７１及び第２空間７２のハウジング５０から離れた側の端部、即ち収容空間７の入口、からハウジング５０側、即ち収容空間７の奥側、に向かってハウジング３０内にヒューズ２が挿入される。また、ヒューズ２がハウジング３０に取り付けられた状態で、ヒューズ２の後述の一対の端子部２２が第１空間７１に位置付けられ、後述のケース２１が第２空間７２に位置付けられる。
【００２４】
また、第１空間７１のハウジング５０側の端部から前記入口側に向かってハウジング３０内に上記回路端子５２が挿入されることにより、回路端子５２の電気接触部５４内に後述の端子部２２が挿入されてこれらが電気的に接続される。このことにより、一対の回路端子５２間が導通状態とされ、前記電源回路が閉じられる。
【００２５】
また、上記ハウジング３０は、一対の第１空間７１内それぞれに設けられた一対の係止部としてのロックアーム３１と、ロックアーム３１が過大変位することを防止する過大変位防止壁３２と、ヒューズ２の後述の端子部２２を第１空間７１の奥側に案内する一対のガイド壁３４と、複数のロック受け部３３と、を有している。
【００２６】
上記一対のロックアーム３１は、ヒューズ２の後述の端子部２２の第１空間７１への進入方向に沿って延びた板状の板状部３１ａと、ヒューズ２の後述の切り欠き２６に嵌まる突起部３１ｂと、を有している。
【００２７】
上記板状部３１ａは、前記進入方向即ち長手方向に沿ったハウジング５０側の一端がハウジング３０の外壁と連なった固定端とされており、前記進入方向即ち長手方向に沿った前記入口側の他端が、他方のロックアーム３１と相対する方向に沿って変位自在な自由端とされている。そして、第１空間７１の板状部３１ａよりも他方のロックアーム３１側の空間３５に、ヒューズ２の後述の端子部２２が位置付けられる。
【００２８】
上記突起部３１ｂは、板状部３１ａの前記一端に連なり、上記空間３５側に突出している。この突起部３１ｂは、ヒューズ２の後述の端子部２２に設けられた切り欠き２６に嵌まる。即ち係止する。このことにより、端子部２２がハウジング３０から抜け出ることが防止される。
【００２９】
上記過大変位防止壁３２は、第１空間７１の板状部３１ａよりも他方のロックアーム３１から離れた側に設けられており、板状部３１ａとの間に間隔をあけて設けられている。このような過大変位防止壁３２は、例えばヒューズ２の後述の端子部２２が、前記進入方向に対して傾いた状態で上記空間３５に挿入された場合などに、板状部３１ａに当接することにより、板状部３１ａが過大変位防止壁３２側即ちハウジング３０の外側に過大に変位することを防止する。また、この過大変位防止壁３２と板状部３１ａとの間の空間３６に、カバー１０の後述の規制部１３が位置付けられる。
【００３０】
上記一対のガイド壁３４は、第１空間７１に設けられており、図６などに示すように、一対のロックアーム３１同士が相対する方向と直交する方向に沿って互いに間隔をあけて設けられている。この一対のガイド壁３４の前記入口側には、前記入口側から第１空間７１の奥側に向かうにしたがって徐々に互いの間隔が狭くなる方向に傾斜した傾斜面３４ａが設けられている。また、一対のガイド壁３４の傾斜面３４ａよりも奥側の部分は、互いの間隔がヒューズ２の後述の端子部２２の幅方向に沿った寸法より僅かに大きくなるように形成されている。また、一対のガイド壁３４の傾斜面３４ａよりも奥側の部分には、一対のガイド壁３４の互いに相対する表面から互いに離れる側に凹に形成された突起受け部３４ｂが設けられている。この突起受け部３４ｂは、端子部２２に設けられた後述の圧入突起２８と係止する。
【００３１】
このような一対のガイド壁３４は、傾斜面３４ａ上を前記入口側から前記奥側に向かって摺動させることにより後述の端子部２２を第１空間７１の奥側に案内する。そして、第１空間７１の奥側に案内した端子部２２を所定の位置に位置付け、突起受け部３４ｂによって端子部２２が第１空間７１から抜け出ることを防止する。
【００３２】
上記複数のロック受け部３３は、ハウジング３０の外表面の前記入口寄りの位置４箇所に設けられており、ハウジング３０の外表面から突出した突起状に形成されている。これらロック受け部３３は、カバー１０の後述のカバーロック１２と互いに係止する。
【００３３】
上記ヒューズ２は、図示しない可溶体を収容した合成樹脂製の筒状のケース２１と、導電性金属板で構成された一対の端子部２２と、を有している。この端子部２２は、その一端部がケース２１内に収容されて前記可溶体と接続しているとともに他端部がケース２１外に位置付けられている。
【００３４】
また、端子部２２は、前記一端部側の表面と前記他端部側の表面とが直交するようにその中央部が折り曲げられている。以下、この折り曲げられた部分を「折り曲げ部」と呼び、符号２５を付す。また、端子部２２の折り曲げ部２５よりもケース２１寄りの部分を「第１の面」と呼び、符号２３を付す。さらに、端子部２２の折り曲げ部２５よりもケース２１から離れた部分を「第２の面」と呼び、符号２４を付す。
【００３５】
上記第１の面２３は、ケース２１内で前記可溶体を介して他方の端子部２２の第１の面２３と接続している。このヒューズ２に過電流が流れると前記可溶体が溶断することによりこれら一対の端子部２２間を流れる電流が遮断される。また、一方の端子部２２の第１の面２３と、他方の端子部２２の第１の面２３とは、同一平面上に配されている。
【００３６】
上記第２の面２４は、ヒューズ２の第１空間７１への進入方向に沿って延びており、プラグ本体３が回路収容体５に嵌合されると上述した回路端子５２の電気接触部５４と嵌合するとともに電気接触部５４と電気的に接続する。また、この第２の面２４は、第１空間７１への進入方向と直交する幅方向の両縁からこの幅方向の外側に突出した一対の圧入突起２８を有している。この圧入突起２８は、上述した突起受け部３４ｂと係止する。このことにより、ヒューズ２がハウジング３０の収容空間７から抜け出ることが防止される。
【００３７】
上記折り曲げ部２５の幅方向中央部には、第１の面２３と第２の面２４との双方に跨って形成された切り欠き２６が設けられている。切り欠き２６は、方形に形成されており、端子部２２を貫通している。また、切り欠き２６を設けることで露出した第２の面２４の断面２７は、第２の面２４の平面方向と直交する方向となるように形成されている。この切り欠き２６は、上述したロックアーム３１の突起部３１ｂが通されて係止する。また、突起部３１ｂが切り欠き２６に係止した状態で、この突起部３１ｂは、断面２７を第２の面２４の平面方向に沿って第１の面２３から離れる側に向かって押さえている。このことにより、端子部２２を変形させることなくハウジング３０内に保持することができる。
【００３８】
即ち、ヒューズ２は、圧入突起２８が突起受け部３４ｂと係止し、切り欠き２６に突起部３１ｂが嵌まることによりハウジング３０に取り付けられかつハウジング３０から抜け出ることが防止される。
【００３９】
上記カバー１０は、ヒューズ２がハウジング３０に取り付けられた後に、ハウジング３０の収容空間７の入口を覆う格好でハウジング３０に取り付けられる。このカバー１０は、前記入口を覆うことが可能な長方形の板状に形成されたカバー本体１１と、カバー本体１１からハウジング３０に向かって立設した一対の規制部１３と、カバー本体１１の外縁部に設けられハウジング３０に向かって立設した４つのカバーロック１２と、カバー本体１１からハウジング３０に向かって立設した位置決め用のリブ１４と、を有している。
【００４０】
上記一対の規制部１３は、板状に形成されており、カバー本体１１から垂直に立設している。この規制部１３は、カバー１０がハウジング３０に取り付けられた状態で、図５に示すように、過大変位防止壁３２と板状部３１ａとの間の空間３６に位置付けられて、板状部３１ａが過大変位防止壁３２側即ち切り欠き２６から離れる方向に撓むことを規制する。また、突起部３１ｂが切り欠き２６に完全に係止していない場合は、板状部３１ａが過大変位防止壁３２側に撓んだ状態となるので、規制部１３が前記空間３６に進入することが不可能となる。このことにより、カバー１０がハウジング３０に正常に取り付けられたことを以って、突起部３１ｂが切り欠き２６に完全に係止したことを確認することができる。
【００４１】
上記４つのカバーロック１２は、枠状に形成されており、それぞれ、ハウジング３０の外表面に設けられた４つのロック受け部３３と係止する。このことにより、カバー１０がハウジング３０に固定される。また、これらカバーロック１２とロック受け部３３とは特許請求の範囲に記載した第２係止部をなしている。
【００４２】
上記構成の電源回路遮断装置１は、レバー４を図１に示すように回動操作して回路収容体５にプラグ本体３を嵌合させることにより、一対の端子部２２の第２の面２４が一対の回路端子５２の電気接触部５４内にそれぞれ収容されて両者が電気的に接続する。このことにより、一対の回路端子５２にそれぞれ接続された電線６ａ，６ｂは、ヒューズ２を介して接続されて前記電源回路を閉じる。そして、前記電源回路に過電流が流れると、ヒューズ２の可溶体が溶断することによりこの電源回路を流れる電流を遮断する。
【００４３】
一方、この電源回路遮断装置１を組み込んだ前記電源回路のメンテナンスやヒューズ２の交換時には、レバー４を嵌合時の回動操作と逆の方向に回動させて回路収容体５からプラグ本体３を離脱させることにより、プラグ本体３の一対の端子部２２と一対の回路端子５２とを非接続状態にする。このことにより、一対の回路端子５２にそれぞれ接続された電線６ａ，６ｂ間が非接続状態になり、電源回路が開かれる。このことにより、前記電源回路のメンテナンス等を安全に行うことができる。
【００４４】
本実施形態によれば、圧入突起２８と突起受け部３４ｂ、及び、ロックアーム３１と切り欠き２６、を設けたことにより、ヒューズ２を、従来のねじ止め構造等の固定構造を用いることなくハウジング３０に圧入装着できるので、組み立てが容易で部品点数が少なく簡易な構造の電源回路遮断装置１を提供することができる。
【００４５】
また、ロックアーム３１の突起部３１ｂがヒューズ２の切り欠き２６に係止したことを以ってヒューズ２がハウジング３０に取り付けられたことを目視確認することができる。
【００４６】
また、カバー１０が、ハウジング３０に取り付けられた状態で、ロックアーム３１の板状部３１ａが突起部３１ｂの切り欠き２６への係止を解除する方向に変位することを規制する規制部１３を有していることから、カバー１０の取り付け後に板状部３１ａが撓むことを防止できる。よって、ヒューズ２がハウジング３０から抜け出ることを確実に防止できるとともに、ヒューズ２がハウジング３０の収容空間７内でがたつくことを防止できる。
【００４７】
また、突起部３１ｂが切り欠き２６に完全に係止していない場合は、規制部１３が空間３６に進入することが不可能となるので、カバー１０がハウジング３０に正常に取り付けられたことを以って、突起部３１ｂが切り欠き２６に完全に係止したことを確認することができる。
【００４８】
また、ハウジング３０の外表面とカバー１０の外縁部とに、互いに係止するカバーロック１２とロック受け部３３とが設けられていることから、このハウジング３０の内部構造を簡略化することができ、そのために、このハウジング３０を製造する金型の構造を簡略化することができる。よって、ハウジング３０のコストアップを抑えることができる。
【００４９】
また、ハウジング３０が、端子部２２を第１空間７１の奥側に案内するとともに所定の位置に位置付ける一対のガイド壁３４を有していることから、ヒューズ２のハウジング３０への組み付け性を向上させることができる。
【００５０】
また、突起部３１ｂが端子部２２の第２の面２４の断面２７を該第２の面２４の平面方向に沿って押さえるので、端子部２２を変形させることなくハウジング３０に保持することができる。
【００５１】
さらに、プラグ本体３を回路収容体５に嵌合させる際、即ち端子部２２を回路端子５２の電気接触部５４に嵌合させる際、端子部２２の電気接触部５４との接点部には、端子部２２をハウジング３０から浮き上がらせる方向の嵌合荷重が生じるが、この接点部の直上に位置する切り欠き２６の断面２７を突起部３１ｂが直下方向に押さえているので、端子部２２を変形させることなくハウジング３０に保持することができる。
【００５２】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５３】
【図１】本発明の一実施の形態に係る電源回路遮断装置を示す斜視図である。
【図２】図１に示された電源回路遮断装置の分解斜視図である。
【図３】図２に示された電源回路遮断装置を構成するプラグ本体の分解斜視図である。
【図４】図３中のＣ−Ｃ線に沿う断面図である。
【図５】図１中のＡ−Ａ線に沿う断面図である。
【図６】図１中のＢ−Ｂ線に沿う断面図である。
【図７】従来の電源回路遮断装置を示す断面図である。
【図８】図７に示された電源回路遮断装置を組み立てる様子を説明する断面図である。
【符号の説明】
【００５４】
１  電源回路遮断装置
２  ヒューズ
３  プラグ本体（第２コネクタハウジング）
５  回路収容体（コネクタハウジング）
１０  カバー
１１  カバー本体
１２  カバーロック（第２係止部）
１３  規制部
２１  ケース
２２  端子部
２３  第１の面（一端部側の表面）
２４  第２の面（他端部側の表面）
２５  折り曲げ部
２６  切り欠き
３０  ハウジング
３１  ロックアーム（係止部）
３１ａ  板状部
３１ｂ  突起部
３３  ロック受け部（第２係止部）
５２  回路端子
【図１】
0005014012.tif 000002
【図２】
0005014012.tif 000003
【図３】
0005014012.tif 000004
【図４】
0005014012.tif 000005
【図５】
0005014012.tif 000006
【図６】
0005014012.tif 000007
【図７】
0005014012.tif 000008
【図８】
0005014012.tif 000009